(57)【要約】【課題】フロスは適宜にフロスバーにつっぱり、フロスが緩まないことを確保可能なデンタルフロス供給器を提供する。【解決手段】デンタルフロス供給器であって、ケーシング１、フロスバー２、リール３、弾性枠４、フロス回収輪５及び回転輪６等部材が含まれる。特に弾性枠４の一側にはストッパー４２が付設され、かつ回転輪６の内壁には弾性ラチェットホイール６１が設けられる。ストッパー４２を用いてリール３一側の歯車３１と契合し、フロス２は適度なつっぱり効果を得ることが可能で、必要時は弾性枠４を押してフロス２は緩み状態を形成し、かつ弾性ラチェットホイール６１は回転輪６の回転に合わしてインチングしてストッパー４２を釈放し、回転輪６が回転するときに廃棄フロスを回収する目的が達成される。【選択図】図３
0003123532.tif 000002
【実用新案登録請求の範囲】
【請求項１】
二つのケーシングと、フロスバーと、リールと、弾性枠と、フロス回収輪と、回転輪とを備え、
前記ケーシングは、互いに組み合せられて中空に形成され、その中空の先端はフロスバーの嵌め込み結合に供され、それぞれ互いに対応する第一套柱及び第二套柱が具えられ、かつそれぞれ孔が設けられ及び半開孔の凹溝が具えられ、
前記フロスバーは、支え枠であり、その末端は中空のケーシングに嵌め付け固定され、先端はフロスの巻き付けに供されてつっぱって架設されるように形成され、その本体には線巻き溝が具えられ、
前記リールは、フロスの巻き付け覆い置きに供され、かつケーシングの第一套柱に嵌め込まれ、一側には隣接して歯車が嵌め付け設けられ、歯車と同調で回転し、歯車はボルトに合わせてケーシングに締め付けられ、フロスはそれから引き出されてフロスバーの線巻き溝に沿い、両端の架線個所を通ってから回収輪に取り付けられ、
前記弾性枠は、中空のケーシング内に嵌め付け固定され、その先端には中空のケーシングから露出する押し付け部が具えられ、他側にはストッパーが設けられ、ストッパーには歯車に契合される接触面が設けられ、その所定個所にはばねの設置に供される収納溝が設けられ、ばねの一端は収納溝の側壁に当て付けられ、他端はケーシングの当て片に当て付けられ、それの選定個所には孔が設けられ、
前記フロス回収輪は、ケーシングの孔に貫通して嵌め込まれ、かつ嵌め環と相対して嵌め付けられ、フロスの末端は予めそれと嵌め環の間に巻き付けられて嵌め付け固定され、その嵌め環には凸環が具えられてボルトによって回転輪に締め付けられ、
前記回転輪は、弾性ラチェットホイールを貫通し、更に外からケーシングの凹溝に差し込まれ、それの中心柱は上述凸環が挿入され、更にボルトで締め付け結合され、その内環壁にはラチェット状歯が設けられ、弾性ラチェットホイールは複数個のラチェット板のある環であり、凸柱が設けられ、ラチェット板はそれの内環壁のラチェット状歯に当て持ちされ、凸柱は弾性枠の孔に取り付けられ、
回転輪が回転すると同調してフロス回収輪と嵌め環は回転し、弾性ラチェットホイールは回転輪内の元の個所で跳び動き、弾性枠を動かしてインチングの跳び動きを形成し、往復して跳び動く中でストッパーと歯車の当て止め状態は解除され、回転輪は同調してフロス回収輪を動かし、フロスはリールから供給され、使用されて廃棄されたフロスは巻き戻されてリールに付随されることを特徴とするデンタルフロス供給器。
【請求項２】
中空のケーシングはカバーを取り付け結合していることを特徴とする請求項１に記載のデンタルフロス供給器。
【請求項３】
フロスがフロスバーを通過するときは折り返し塊を経由し、フロスは向きを変えてフロス回収輪に進入することを特徴とする請求項１に記載のデンタルフロス供給器。
【請求項４】
フロスバーの両端架線個所にはそれぞれ口形孔が形成され、フロスは両端の口形孔の間でゆるいループを形成することを特徴とする請求項１に記載のデンタルフロス供給器。
【請求項５】
中空のケーシングには一つまたは一つ以上の押し付け突起が設けられ、それによってカバーは逆方向に中空のケーシングに取り付けられて手持ち取手になることを特徴とする請求項２に記載のデンタルフロス供給器。
【請求項６】
フロスバーはＦ型の支え枠であることを特徴とする請求項１に記載のデンタルフロス供給器。
【請求項７】
フロスバーはＹ型の支え枠であることを特徴とする請求項１に記載のデンタルフロス供給器。
【請求項８】
リールの一側の歯車は錐形栓を用いて歯車の中心に取り付けられ、ボルトと合わせてケーシングに締め付けられ、錐形栓には一つまたは一つ以上の翼片が具えられ、ケーシングの第二套柱にも相対して一つまたは一つ以上の溝が設けられ、ボルトと錐形栓が緊密に締め付けられると第二套柱も拡大されることを特徴とする請求項１に記載のデンタルフロス供給器。
【請求項９】
弾性枠は概してＬ型の枠に現れることを特徴とする請求項１に記載のデンタルフロス供給器。
【請求項１０】
嵌め環にはシールリングが取り付けられていることを特徴とする請求項１に記載のデンタルフロス供給器。
【請求項１１】
嵌め環はボルトをもってカッターを貫通し、並びに回転輪に締め付け固定されていることを特徴とする請求項１に記載のデンタルフロス供給器。
【請求項１２】
二つのケーシングの継ぎ目間には防水パッキンが設けられていることを特徴とする請求項１に記載のデンタルフロス供給器。
【考案の詳細な説明】
【技術分野】
【０００１】
本考案は、デンタルフロス供給器の設計に関するもので、特に自動的に同調してフロスを巻き戻し及び釈放することが可能で、並びにそのフロスの張り緩み程度を調整することが可能なデンタルフロス供給器の構造設計に関する。
【背景技術】
【０００２】
従来のデンタルフロス器（またはデンタルフロス棒とも云う）は通常一回使っただけで捨てる使い捨ての設計である。また、フロスの巻き戻しを提供可能なデンタルフロス器がある。
【考案の開示】
【考案が解決しようとする課題】
【０００３】
例えば外観がＦ型に現れるデンタルフロス棒は最も常に見られるもので、その周知のＦ型デンタルフロス棒は主として頭端部にフロスが跨って設けられ、末端は尖ったもので、一回使っただけで捨ててしまう。また、フロスの巻き戻しを提供可能なデンタルフロス器がある。それらデンタルフロス器に採用されるフロスの使われる質料の違いによることと考えられるが、そのつっぱり弾性はそれぞれ違い、あるフロスの質料はやや強靭な弾性があり、あるフロスはやや柔軟な弾性を示す。従来のデンタルフロスはその弾性を調整することができないので、違う質料のデンタルフロスを変えるとそれのつっぱり弾性は違ってしまい、フロスのつっぱり性を適宜に調整することができず、そのために歯の清潔効果はよくなく、実際使用時の操作も不便である。
【０００４】
したがって本考案の主な目的は弾性枠に設けられたストッパーを用いてフロスは適宜にフロスバーにつっぱり、フロスが緩まないことを確保可能なデンタルフロス供給器の設計を提供することにある。
本考案の次の目的は回転輪の内壁に弾性ラチェットホイールが設けられ、回転輪の回転と合わせたインチングの形態をもってストッパーを釈放し、廃棄フロスの巻き戻しを行うデンタルフロス供給器の設計を提供することにある。
【０００５】
本考案のもう一つの目的はリールの一側に歯車が取り付けられ、かつ錐形栓を用いて歯車の中心に嵌め込み、ボルトと合わしてケーシングに締め付け、ボルトと錐形栓の締めぐあいを用いてリールの緊張度を調節し、各種違った質料のフロスに対してそれの最適なつっぱり弾性を調整可能なデンタルフロス供給器の設計を提供することにある。
本考案のまた一つの目的はフロスバー両端の架線個所に口形の孔を形成し、フロスは適度に緩んで両端に架設することができ、使用者は緩んだフロスを歯の間に押し込んで歯の汚れをこそぎ取ることができるデンタルフロス供給器の設計を提供することにある。
【０００６】
本考案の更に一つの目的はケーシングにカバーを取り付け結合し、平常時はフロスバーの隠し保護に供され、必要時は逆方向にケーシングに取り付けて手持ちの取っ手として使用されるデンタルフロス供給器の設計を提供することにある。
本考案の更に一つの目的はそれに設けられた廃棄フロスの回収に専用されるフロス回収輪は嵌め環と相対して嵌め付けられ、嵌め環の一側には更にカッターが取り付けられ、フロス回収輪が外されるとカッターを用いてその勢に順じて廃棄フロスを切断することができ、全体的使用は極めて簡単便利であるデンタルフロス供給器の設計を提供することにある。
【課題を解決するための手段】
【０００７】
デンタルフロス供給器の設計の一種で、その構成はケーシング、フロスバー、リール、弾性枠、フロス回収輪及び回転輪等部材が含まれる。特に弾性枠の一側にはストッパーが付設され、かつ回転輪の内壁には弾性ラチェットホイールが設けられる。主要はストッパーを用いてリール一側の歯車と契合し、フロスは適度なつっぱり効果を得ることが可能で、必要時は弾性枠を押してフロスは緩み状態を形成し、かつ弾性ラチェットホイールは回転輪の回転に合わしてインチングしてストッパーを釈放し、回転輪が回転するときに廃棄フロスを回収する目的が達成される。
【考案を実施するための最良の形態】
【０００８】
図１から図４に示すように、本考案の実施例によるデンタルフロス供給器の構成は二つのケーシング１ａ、１ｂ、フロスバー２、リール３、弾性枠４、フロス回収輪５及び回転輪６等主要部材が含まれ、かつそのデンタルフロス供給器はカバー７の取り付け結合に供することが可能である。
【０００９】
二つのケーシング１ａ、１ｂは互いに組み合せられて中空のケーシング１を結合構成する。中空のケーシング１の先端はフロスバー２の嵌め込み結合に供され、ケーシング１ａ、１ｂにはそれぞれ第一套柱１１ａ及び第二套柱１１ｂが具えられ、かつそれぞれ孔１２ａが設けられ及び半開孔の凹溝１２ｂが具えられる。第一套柱１１ａはリール３の取り付け定位置に供され、第二套柱１１ｂは次に述べる歯車３１と錐形栓３２の取り付け結合に供される（図８に示す）。
【００１０】
フロスバー２、それはＦ型、Ｙ型またはその他適当に選定された支え枠で、末端には中空のケーシング１に嵌め付け固定され嵌合部２１が具えられる。先端はフロス８の巻き付けに供されてつっぱって架設されるように形成され、フロスバー２本体には線巻き溝２２が具えられている。また、両端の架線個所にそれぞれ口形の孔２３が形成されている。
【００１１】
リール３は、図８に示すように、フロス８の巻き付け覆い置きに供され、かつケーシング１ａの第一套柱１１ａに嵌め込むことが可能である。リール３の一側には隣接して歯車３１が嵌め付け設けられ、それによってリール３と歯車３１は同調して回転可能である。歯車３１は錐形栓３２を用いて歯車３１の中心に取り付けられ、ボルト３３と錐形栓３２の締めぐあいに合わせてリール３の回転の張り緩みの調節に供される。そのために違った質料のフロス８に応じて最適なつっぱり弾性を調整可能である。また前述フロス８はリール３から引き出されてフロスバー２の線巻き溝２２に沿い、両端の架線個所を通ってからフロス回収輪５に取り付けられる。
【００１２】
弾性枠４は中空のケーシング１内に嵌め付け固定された概してＬ形に現れる枠で、先端には中空のケーシング１から露出する押し付け部４１が具えられ、他側にはストッパー４２が付設される。ストッパー４２には歯車３１に当り接触する歯紋状の接触面４２１が設けられる。そのためにストッパー４２は歯車３１と契合可能である（図５に示す）。また弾性枠４の選定個所にはばね４４の設置に供される収納溝４３が設けられ、ばね４４の一端は収納溝４３の側壁に当て付ける。他端はケーシング１ｂの当て片１３ｂに当て付けられ、弾性枠４の押し付け部４１が押し付けられると弾性の移行が形成する。これによってストッパー４２を制御して歯車３１から離脱して釈放状態に形成され（図６に示す）、他に弾性枠４の選定個所には孔４５が設けられている。
【００１３】
フロス回収輪５、図７の如く、それはケーシング１ａの孔１２ａに貫通して嵌め込まれ、かつ嵌め環５１と相対して嵌め合わせられ、フロス８の末端は予め回収輪５と嵌め環５１の間に巻き付けられて嵌め付け固定され、その嵌め環５１には凸環５１１が具えられ、かつ嵌め環５１にはシールリング５１２が取り付けられ、凸環５１１と次に述べられる回転輪６は同軸方向であり、尚且つボルト５２によってカッター５１３を貫通して回転輪６に締め付けられている。
【００１４】
回転輪６は先に弾性ラチェットホイール６１を貫通し、更に外からケーシング１ｂの凹溝１２ｂに差し込み、回転輪６の中心柱６２は上述凸環５１１に挿入し、更にボルト５２で締め付け結合される。回転輪６の内環壁にはラチェット状歯６３が設けられる。弾性ラチェットホイール６１は複数個のラチェット板６１１のある環で、尚且つ凸柱６１２が設けられ、そのラチェット板６１１は回転輪６の内環壁のラチェット状歯６３に当て持ちされ、凸柱６１２は弾性枠４の孔４５に取り付けられる。
【００１５】
以上の部品の組み合せにより、回転輪６が回転すると同調して回収輪５と嵌め環５１は回転し、弾性ラチェットホイール６１は回転輪６内の元の所で跳び動き、並びに弾性枠４を動かしてインチングの跳び動きを形成する。往復して跳び動く中でストッパー４２と歯車３１の当て止め状態は解除されるので、回転輪６は同調してフロス回収輪５を動かしてフロス８はリール３から供給される。使用されて廃棄されたフロス８を巻き戻してリール３に附髄させ（図１０に示す）、廃棄フロスを回収する目的が達成される。
【００１６】
図１１に示すように、上述フロスの巻き戻しはフロスバー２を通過するときに折り返し塊２４を経由し、フロス８は向きを変えてフロス回収輪５に進入する。
図４及び図８に示すように、上述リール３の錐形栓３２とボルト３３の締め付けは、その錐形栓３２に一つまたは一つ以上の翼片３２１が具えられる。ケーシング１ｂの第二套柱１１ｂにも相対して一つまたは一つ以上の溝１１１ｂが設けられ、ボルト３３と錐形栓３２が緊密に締め付けられると第二套柱１１ｂもますますつっぱり拡大されるので、歯車３１回転時の張りぐあいを調節制御する目的を達成可能となる。尚それによってリール３は各種違った質料のフロス８に応じて最適のつっぱり弾性を調整可能となる。
【００１７】
上述フロスバー２の両端架線個所にはそれぞれ口形孔２３が形成される。その主要は弾性枠４の押し付け部４１が押さえられて弾性移行が形成されるとストッパー４２は歯車３１から離脱して釈放状態を形成し、フロス８は両端の口形孔２３の間でゆるいループの形態に形成されるので（図９に示す）、使用者はそのゆるいフロス８を用いて歯の間に押し込み、歯間の汚れのこそぎ取りを便利にする。
【００１８】
本実施例によるデンタルフロス供給器の構成は、その中空のケーシング１に一つまたは一つ以上の押し付け突起１４（または突起筋）が設けられることも可能である。平常時はカバー７によって中空のケーシング１に取り付け結合し、フロス２の隠し保護に供されるが、必要時は逆方向にカバー７を中空のケーシング１に取り付け、手持ち取っ手として使用することを提供する（図１２及び図１３に示す）。
【００１９】
図１４は本考案のフロスバー２に口形孔２３が具えられていない別の実施可能の例である。図１５に示すのは、本考案に口形孔が具えられていないＹ型フロスバー２を採用した全体構成の形態である。図１６に示すのは、本考案に口形孔２３ａが具えられてあるＹ型フロスバー２ａを改め採用した別の実施例の構成である。
【００２０】
図３または図４に示すように、上述中空のケーシング１は二つのケーシング１ａ、１ｂの継ぎ目に防水パッキン１５を設けることも可能で、その二つのケーシング１ａ、１ｂの継ぎ目はよりよい水密性があるようになり、デンタルフロス供給器を水洗いするときに水が中空のケーシング１に流れ込むことが阻絶され、フロスを汚すことが避けられる。
【００２１】
上述フロス回収輪５と嵌め環５１が相対して嵌め付けられたら、それは廃棄フロスの回収巻き付け附隋に供されるが、廃棄フロスの巻き付けがある程度累積されると、フロス回収輪５を嵌め環５１から抜き出し、嵌め環５１内には予めカッター５１３が設けられているので、廃棄フロスをカッター５１３に引っ掛けて勢いに順じて切断する（図１１に示す）。それからフロス回収輪５を再び嵌め環５１に嵌め付け、同時にフロス回収輪５と嵌め環５１の嵌め付けを用いてフロス８を噛み付け固定することができ、その廃棄フロスの回収操作は極めて簡単便利である。
【００２２】
上述実施例は本考案の主要技術の一例の説明だけであり、それは本案の技術範囲を限定するものではなく、およそ同等効果の応用または前項技術手段に基づいて行った簡単な変更または入れ替えは、すべて本案の技術範囲に属するものとする。
【図面の簡単な説明】
【００２３】
【図１】本考案の実施例によるデンタルフロス供給器およびカバーを示す分解立体図である。
【図２】本考案の実施例によるデンタルフロス供給器とカバーの組み合せ立体図である。
【図３】本考案の実施例によるデンタルフロス供給器を示す分解立体図である。
【図４】本考案の実施例によるデンタルフロス供給器の別の角度からみた分解立体図である。
【図５】本考案の実施例によるデンタルフロス供給器の組み合せ断面図である。
【図６】本考案の実施例によるデンタルフロス供給器の動作を示す図である。
【図７】本考案の実施例によるデンタルフロス供給器の回転輪に関する組み合せ断面図である。
【図８】本考案の実施例によるデンタルフロス供給器のリールに関する組み合せ断面図である。
【図９】本考案の実施例によるデンタルフロス供給器のフロスがループの状態に弛んだ状態を示す図である。
【図１０】本考案の実施例によるデンタルフロス供給器で廃棄フロスをリールに巻き戻した図である。
【図１１】本考案の実施例によるデンタルフロス供給器のロスの巻き戻し状態を示す図である。
【図１２】本考案の実施例によるデンタルフロス供給器とカバーが逆方向の状態に現れた分解立体図である。
【図１３】本考案の実施例によるデンタルフロス供給器とカバーが逆方向に取り付けられた組み合せ立体図である。
【図１４】本考案のデンタルフロス供給器のフロスバーに口形孔が具えられていない実施例を示す図である。
【図１５】本考案のデンタルフロス供給器に口形孔が具えられていないＹ型フロスバーを採用した実施例の全体構成の形態を示す図である。
【図１６】本考案のデンタルフロス供給器に口形孔が具えられているＹ型フロスバーを改め採用した実施例の構成を示す図である
【符号の説明】
【００２４】
１  中空のケーシング、１ａ  ケーシング、１ｂ  ケーシング、２  フロスバー、２ａ  フロスバー、３  リール、４  弾性枠、５  フロス回収輪、６  回転輪、７  カバー、８  フロス、１１ａ  第一套柱、１１ｂ  第二套柱、１２ａ  孔、１２ｂ  凹溝、１３ｂ  当て片、１４  押し付け突起、１５  防水パッキン、２１  嵌合部、２２  線巻き溝、２３  口形孔、２３ａ  口形孔、２４  折り返し塊、３１  歯車、３２  錐形栓、３３  ボルト、４１  押し付け部、４２  ストッパー、４３  収納溝、４４  ばね、４５  孔、５１  嵌め環、５２  ボルト、６１  弾性ラチェットホイール、６２  中心柱、６３  ラチェット状歯、１１１ｂ  溝、３２１  翼片、４２１  接触面、５１１  凸環、５１２  シールリング、５１３  カッター、６１１  ラチェット板、６１２  凸柱
【図１】
0003123532.tif 000003
【図２】
0003123532.tif 000004
【図３】
0003123532.tif 000005
【図４】
0003123532.tif 000006
【図５】
0003123532.tif 000007
【図６】
0003123532.tif 000008
【図７】
0003123532.tif 000009
【図８】
0003123532.tif 000010
【図９】
0003123532.tif 000011
【図１０】
0003123532.tif 000012
【図１１】
0003123532.tif 000013
【図１２】
0003123532.tif 000014
【図１３】
0003123532.tif 000015
【図１４】
0003123532.tif 000016
【図１５】
0003123532.tif 000017
【図１６】
0003123532.tif 000018